(57)【特許請求の範囲】
【請求項１】
海藻類を養殖するための海水が入った養殖槽の中に配置され、前記養殖槽の上面開口からの太陽光によって上面が照らされる養殖用基盤であり海藻類の幼芽が付着した養殖用基盤と、前記養殖用基盤をＬＥＤが発する光により照射する養殖用ＬＥＤ照明装置とを備えた海藻類養殖装置であって、
複数のＬＥＤを配列したＬＥＤバー部材をケース体の内部に固定し、電源ケーブルを引き出した状態で前記ケース体を封止すると共に、前記養殖槽内の前記養殖用基盤よりも低い位置で当該養殖槽の床面又は内側面に対して前記ケース体を所定の姿勢で保持する姿勢保持部を前記ケース体に設けて前記養殖用ＬＥＤ照明装置が構成され、
前記ＬＥＤを、前記養殖槽の上面開口から養殖用基盤を照らす太陽光の日照量に応じた時間に亘り点灯し、前記養殖用基盤の下面の藻床を照射する
ことを特徴とする海藻類養殖装置。
【請求項２】
請求項１に記載の海藻類養殖装置において、
前記ＬＥＤバー部材から放射され前記養殖用基盤に向かう光を、前記養殖用基盤の下面の藻床の略全領域に亘って広げる光学部材を備えることを特徴とする海藻類養殖装置。
【発明の詳細な説明】
【技術分野】
【０００１】
本発明は、海藻類の養殖に用いて好適な海藻類養殖装置に関する。
【背景技術】
【０００２】
海藻類の養殖の一つに、海藻類の幼芽等を付着させた養殖用基盤を陸上に設置した養殖槽内に沈め、この養殖槽内で海藻類を育苗し、その後、養殖用基盤を養殖槽から自然海水域に移設し、この自然海水域で育成養殖するという手法が知られている。また、この手法においては、養殖槽内で育苗する過程では、自然の太陽光を養殖用基盤に照射して育苗するのが一般的である。
また、太陽光が当たらない建造物の中での育苗を可能にし、季節や気候による日照時間変動の影響を受け難くするために、ＬＥＤを光源とした照明装置により養殖用基盤の幼芽に光を照射する技術も知られている（例えば、特許文献１参照）。
【特許文献１】特開平１０−１７８９４７号公報
【発明の開示】
【発明が解決しようとする課題】
【０００３】
しかしながら、従来の照明装置においては、養殖槽などの水槽に沈めて設置するＬＥＤ照明装置が無かった。そのため、従来においては、ＬＥＤ照明装置が水没することの無いように、電源ケーブルが接続される側の端部を水面から出した状態で養殖槽の内側壁面に取り付け、この内側壁面から養殖用基盤に向けて光を照射する構成としている。
このような構成においては、内側壁面から養殖用基盤に対して光を照射するため、養殖用基盤の下面などに光が届き難くなり養殖用基盤上で照射むらが生じ易く、これにより幼芽の育苗の度合いに差が生じる、という問題がある。
このように、幼芽の育苗の度合いに差が生じると、すべての幼芽をある程度育苗するまで養殖用基盤を自然海水に移すことができないため、結果として養殖期間が延びてしまうという問題も生じる。
本発明は、上述した事情に鑑みてなされたものであり、水中に沈めて設置可能であり、さらに、水槽に設置した際に、当該水槽内の所定の対象物に対して的確に光を照射可能な海藻類養殖装置を提供することを目的とする。
【課題を解決するための手段】
【０００５】
上記目的を達成するために、本発明は、海藻類を養殖するための海水が入った養殖槽の中に配置され、前記養殖槽の上面開口からの太陽光によって上面が照らされる養殖用基盤であり海藻類の幼芽が付着した養殖用基盤と、前記養殖用基盤をＬＥＤが発する光により照射する養殖用ＬＥＤ照明装置とを備えた海藻類養殖装置であって、複数のＬＥＤを配列したＬＥＤバー部材をケース体の内部に固定し、電源ケーブルを引き出した状態で前記ケース体を封止すると共に、前記養殖槽内の前記養殖用基盤よりも低い位置で当該養殖槽の床面又は内側面に対して前記ケース体を所定の姿勢で保持する姿勢保持部を前記ケース体に設けて前記養殖用ＬＥＤ照明装置が構成され、前記ＬＥＤを、前記養殖槽の上面開口から養殖用基盤を照らす太陽光の日照量に応じた時間に亘り点灯し、前記養殖用基盤の下面の藻床を照射することを特徴とする。
【０００７】
また本発明は、上記発明に記載の海藻類養殖装置において、前記ＬＥＤバー部材から放射され前記養殖用基盤に向かう光を、前記養殖用基盤の下面の藻床の略全領域に亘って広げる光学部材を備えることを特徴とする。
【０００８】
また本発明は、上記発明に記載の養殖用ＬＥＤ照明装置において、前記光学部材の光出射面に、出射光に散乱を生じさせる梨地を形成したことを特徴とする。
【発明の効果】
【０００９】
本発明によれば、複数のＬＥＤを配列し、外部電源に接続される電源ケーブルが引き出されたＬＥＤバー部材をケース体の内部に固定し、前記電源ケーブルを引き出した状態で前記ケース体を封止する構成としたため、ＬＥＤ光源を内蔵した防水構造の養殖用ＬＥＤ照明装置が実現される。
さらに、複数のＬＥＤをＬＥＤバー部材で配列しケース体に収めることで、複数のＬＥＤを互いの配置間隔や位置を正確に揃えた状態でケース体に一度に収めて固定することが可能となり、良好な組み立て性を実現することができる。
また、ケース体から電源ケーブルを引き出した状態でＬＥＤバー部材を封止する構成としているため、水を蓄えた水槽に養殖用ＬＥＤ照明装置を沈めつつ、水槽外部から養殖用ＬＥＤ照明装置のＬＥＤバー部材に電力を供給して点灯させることができる。これにより、養殖用ＬＥＤ照明装置のケース体の内部に電源を設ける必要が無いため装置の小型化及び簡略化が図られる。
これに加え、水を蓄えた水槽内で当該水槽の床面に対してケース体を所定の姿勢で保持する姿勢保持部をケース体に設ける構成としているため、水槽内に養殖用ＬＥＤ照明装置を設置した際に、ケース体の内部に固定されたＬＥＤバー部材の光照射方向を所定方向に固定することができるため、水槽内の所定の対象物に対して的確に光を照射することが可能となる。
【発明を実施するための最良の形態】
【００１０】
以下、図面を参照して本発明の実施形態について説明する。
図１は、本実施形態に係る海藻類養殖装置１の構成を示す図であり、（Ａ）は海藻類養殖装置１の断面を側面からみた図を示し、（Ｂ）は平面図を示す。この図に示すように、海藻類養殖装置１は、例えばモズク等の海藻類を養殖するための海水を蓄える養殖槽２と、この養殖槽２の海水中に沈めて設置された複数の養殖用ＬＥＤ照明装置３とを備え、この養殖槽２の海水中に、海藻類の幼芽等を付着させた養殖用基盤４が配置され、また、各養殖用ＬＥＤ照明装置３が養殖用基盤４に対して光を照射して海藻類の養殖が行われる。
【００１１】
養殖槽２は、幅Ｗが約２Ｍ（Ｍ：メートル）、長さＬが約７Ｍ、高さが約０．６Ｍの上面が矩形に開口した直方型に構成され、その材料には例えば剛性、耐久性及び腐食性に優れたコンクリート等が用いられている。このような養殖槽２は、当該養殖槽２の上面全体を自然光たる太陽光Ｓ（図２参照）で照らせる程度の大きさの採光窓が天面に設けられた建物内、或いは、天面全体が耐久性に優れたビニルシート等の透過性材料によって構成されたビニルハウス内に設置され、日中には、太陽光Ｓによって養殖槽２の内部の養殖用基盤４が上面から照らされるようになっている。このとき、この養殖槽２の側面は不透明であるため、側面から内部への太陽光Ｓの入射は生じない。
【００１２】
図１（Ｂ）に示すように、養殖槽２の内部には、長さＬの方向に延びる２本の載置用支柱５が幅Ｗの方向に略等間隔に配置され、また、載置用支柱５のそれぞれが、図１（Ａ）に示すように、養殖槽２の長さＬの方向に略等間隔に立設された支持脚６により養殖槽２の底床面２Ａから所定の高さＨａに配置されている。この高さＨａは、養殖槽２に蓄えられる海水の水位８よりも低い位置に設定されており、これら２本の載置用支柱５の上に養殖用基盤４を載置することで、養殖用基盤４が養殖槽２の底床面２Ａから離間した状態で海水中に保持されることとなる。
【００１３】
養殖用基盤４は、例えば１Ｍ×１Ｍ寸法の矩形の板状に形成された基盤の表裏面に、海藻類の胞子を付着させることができる藻床７Ａ、７Ｂを貼り付けて形成されている。この藻床７Ａ、７Ｂは、例えば天然繊維や合成繊維から形成された布状体、或いは、網状態で形成されており、その網目に海藻類の胞子が混入され幼芽が定着することとなる。このような藻床７Ａ、７Ｂが貼り付けられる基盤は、海水中での浮きを防止可能な程度の質量を有して構成される。そして、このような養殖用基盤４が、図１（Ａ）に示すように、養殖槽２内に、適宜の間隔で海水中に沈められ載置用支柱５に載置される。
【００１４】
図２は、図１（Ｂ）のＸ−Ｘ線における断面を見た図である。この図に示すように、養殖槽２の底床面２Ａには、塩化ビニル製の複数本のエア供給用パイプ９が敷設されている。これらのエア供給用パイプ９には多数の孔が穿設されると共に、養殖槽２の外に設置されたエア供給用ポンプ（不図示）から空気が導入されており、海藻類の養殖時にはエア供給用パイプ９から海水中に適宜に空気が供給されるようになっている。
【００１５】
ここで、養殖槽２の載置用支柱５に養殖用基盤４を載置した状態においては、養殖槽２の上面開口から入射する太陽光Ｓによって養殖用基盤４の上面（上面開口に臨む面）側の藻床７Ａが照らされるものの、太陽光Ｓによって養殖用基盤４の下面（底床面２Ａと対向する面）の藻床７Ｂが照らされることはない。すなわち、下面の藻床７Ｂにおいては日照不足となり、上面側の藻床７Ａと下面側の藻床７Ｂとの間で日照バランスが崩れ、育苗の度合い（成長の速さ）に差が生じる。そこで、従来においては、養殖用基盤４の上下面を一定期間ごとに手作業で入れ替えて日照バランスを維持するか、或いは、下面側には藻床７Ｂを設けずに上面側の藻床７Ａでのみ養殖を行っているが、手作業で養殖用基盤４を上下入れ替えるには手間がかかり、また、養殖用基盤４の片面側だけを用いた養殖では生産性が悪いといった問題がある。
【００１６】
そこで、本実施形態においては、養殖用ＬＥＤ照明装置３によって養殖用基盤４の下面側の藻床７Ｂを照らすことで、上面側の藻床７Ａとの間の日照バランスを補うこととしており、かかる養殖用ＬＥＤ照明装置３の構成について以下に詳述する。
【００１７】
図３は養殖用ＬＥＤ照明装置３の概略構成を示す図であり、（Ａ）は全体を示す斜視図であり、（Ｂ）はその断面を見た図である。
この図に示すように、養殖用ＬＥＤ照明装置３は、アクリル製の透明な、略６０ＣＭ程度の長さを有する円筒状のケース体３０と、このケース体３０の内部に固定されたＬＥＤバー部材３１とを有し、さらに、養殖槽２の底床面２Ａに対してケース体３０の長軸Ｋが略水平になる姿勢に当該ケース体３０を保持する姿勢保持部としてのケース支持脚３２と、ＬＥＤバー部材３１の放射光によって養殖用基盤４の下面の藻床７Ｂの略全面が照射されるように放射光を制御する透過型の光学部材の一例たる三角プリズム３３とを有している。
【００１８】
ＬＥＤバー部材３１は、養殖槽２の上面開口から養殖用基盤４を照らす太陽光Ｓを補うための光量、或いは、光量及び波長を有した光を発するものであり、少なくとも養殖対象の藻類の成長に効果的に寄与する波長の光を放射する複数のＬＥＤ４０を有して構成されている。このＬＥＤ４０としては白色光を放射するもの、或いは、海藻類の成長に寄与する波長の単色光を放射するものが用いられる。このとき、単色光のＬＥＤ４０を用いる場合には、放射光の波長が異なるＬＥＤ４０を２以上組み合わせて用いることで海藻類の成長をより効果的に促すことができる。
【００１９】
ＬＥＤバー部材３１は、上記のような複数のＬＥＤ４０を基板４１の上に２列に配列し、それぞれのＬＥＤ４０を各列ごとに電気的に直列接続（並列接続でも良い）した合計２本のＬＥＤラインデバイス４２を直線状に並べて板状の支持柱４５に締結して構成されている。また、ＬＥＤバー部材３１の一端部からは各ＬＥＤラインデバイス４２に結線されて外部からの電力を供給する電源ケーブル４７が引き出され、ケース体３０内での移動を規制するために支持柱４５に締結具４８で締結されている。
【００２０】
上記構成のＬＥＤバー部材３１をケース体３０に組み付ける際には、電源ケーブル４７を引き出した状態でケース体３０の一端部である挿入端部３０Ａから内部に挿入し、図２（Ｂ）に示すように、支持柱４５の両側４５Ａをケース体３０の内周面に当接させてケース体３０内部に保持する。このとき、複数のＬＥＤ４０がＬＥＤバー部材３１によって直線状に配列されてケース体３０に収められるため、各ＬＥＤ４０を互いの配置間隔や位置を正確に揃えた状態でケース体３０に一度に収めることが可能となり、良好な組み立て性が実現される。
【００２１】
そして、ケース体３０にＬＥＤバー部材３１を収めた後、ケース体３０の挿入端部３０Ａから透明なモールド樹脂材５０を流し込んでＬＥＤバー部材３１をモールドしてケース体３０の内部にＬＥＤバー部材３１を固定し、次いで、挿入端部３０Ａをアクリル樹脂製の蓋材３５でケース体３０を封止することで、防水可能な養殖用ＬＥＤ照明装置３の組み立てが完了する。
また、上記蓋材３５には引出孔３５Ａが形成されており、この引出孔３５Ａから電源ケーブル４７が引き出され、また、電源ケーブル４７と引出孔３５Ａとの隙間を埋めるためのシール部材４９が引出孔３５Ａに嵌め込まれており、これにより、ケース体３０の防水性の向上が図られている。
【００２２】
上述の通り、ケース体３０の外側には、養殖槽２の底床面２Ａに対してケース体３０の長軸Ｋが略水平になる姿勢に当該ケース体３０を保持する姿勢保持部としてのケース支持脚３２が設けられている。このケース支持脚３２は、養殖槽２の底床面２Ａに対してケース体３０を支持した際に、ＬＥＤバー部材３１が備える各ＬＥＤ４０の光照射方向が上方に向くようにケース体３０に取り付けられており、これにより、養殖槽２内にケース体３０を沈めるだけで、ＬＥＤバー部材３１の各ＬＥＤ４０によって、養殖用基盤４の下面の藻床７Ｂに対して的確に光が照射されることとなる。
【００２３】
ＬＥＤバー部材３１の各ＬＥＤ４０の放射光Ｙは、各ＬＥＤ４０と対向するようにケース体３０の外側に設けられたアクリル製の上記三角プリズム３３に入射し、照射範囲が広がるように照射方向が偏向されて当該三角プリズム３３から出射される。このとき、三角プリズム３３から出射される放射光Ｙの拡がり角θ（図２参照）は、養殖用基盤４の下面の藻床７Ｂの略全領域を照射可能にすべく、養殖用基盤４と養殖用ＬＥＤ照明装置３との相対的な配置関係、及び、養殖用基盤４の下面の藻床７Ｂの広さ等によって規定される。
【００２４】
また、三角プリズム３３を構成する２つの面である光出射面３３Ａの表面は梨地に形成されており、各光出射面３３Ａから出射される光に散乱が生じるため比較的広いエリアを均一に照射することが可能となる。
なお、三角プリズム３３とケース体３０とをアクリル樹脂等で一体的に形成しても良いことは勿論である。
【００２５】
海藻類養殖装置１においては、以上のように構成された複数台の養殖用ＬＥＤ照明装置３が、前掲図１及び図２に示すように、養殖槽２の底床面２Ａの略中心線に沿って直線状に並べて配置されている。養殖用ＬＥＤ照明装置３の各々から引き出された電源ケーブル４７の端部は、養殖槽２の外部に設置された不図示の電源に接続され、当該電源からの電力供給により、各養殖用ＬＥＤ照明装置３が点灯する。
このとき養殖用ＬＥＤ照明装置３への電力供給は、太陽光による日照に合わせて行われる。具体的には、例えば、当日の日の出時刻に電力供給を開始し、日の入り時刻に電力供給を停止する電源制御装置や、当日の日照時間をカウントしてオン／オフするタイマ装置、或いは、照度センサと連動し、太陽光が養殖槽２を照らしている間だけ電力供給を行う電源制御装置等を用いて、太陽光Ｓの日照に応じた電力供給が行われ、これにより、太陽光Ｓの日照量に略比例した時間だけ養殖用ＬＥＤ照明装置３が点灯される。
【００２６】
養殖用ＬＥＤ照明装置３が点灯した際には、当該養殖用ＬＥＤ照明装置３から出射方向に沿って約１００ｍｍ離れた点での放射光Ｙによる照度が約５０００ｌｘ（ルクス）程度となるだけの光量の光を発生し、このような強さの放射光Ｙで養殖用基盤４の下側の藻床７Ｂが照らされる。海藻類においては、光合成量と呼吸量が等しくなる光の強さである光補償点が最も光補償点が低い海藻類でも１ｌｘ程度であるため、海水中での光の減衰を考慮しても、光合成に十分な強さの光で藻床７Ｂが照らされることとなる。
【００２７】
なお、ＬＥＤバー部材３１は、少なくとも１ｌｕｘ以上の照度で養殖用基盤４の下側の藻床７Ｂを照らせる程度の光量の光を発する程度にＬＥＤ４０を有していればよい。
また、養殖用ＬＥＤ照明装置３の照射よって養殖用基盤４の下側の藻床７Ｂにおける照度が、太陽光の照射による上側の藻床７Ａの照度よりも強くなる場合には、藻床７Ｂの育苗の度合いを藻床７Ａと合わせるために、各養殖用ＬＥＤ照明装置３の点灯時間が短縮されることとなる。
【００２８】
次いで、海藻類養殖装置１を用いた海藻類の養殖について説明する。なお、以下では、海藻類の一例たるモズクを日本の気候に合わせて養殖する場合の一例について説明する。
モズク養殖業者は、例えば秋（９月下旬〜１０月上旬）にモズクの母藻を採取し、この母藻を、養殖用の海水で満たした養殖槽２に養殖用基盤４と共に入れる。そして、エア供給用パイプ９に空気を供給しながら通気培養を数日間行うことで母藻から胞子が放出され、この胞子が養殖用基盤４の藻床７Ａ、７Ｂに着生し種付けが完了する。養殖用基盤４への種付け期間においては、養殖のために光照射を行う必要がないため、養殖用ＬＥＤ照明装置３への通電は行われない。
【００２９】
上記種付けの後、１ｍｍほどの芽生えが養殖用基盤４の藻床７Ａ、７Ｂに出現するまで中間育成を行い（例えば２０日間）、そして、この幼芽が数ｃｍの藻体になるまで、略２０日の間、養殖槽２内で２５〜２６℃の育成温度（水温）で養殖を行う。この養殖期間においては、養殖用ＬＥＤ照明装置３による照射が行われ、また、養殖用基盤４の上側の藻床７Ａと下側の藻床７Ｂとの間で光照射量が略同一になるように養殖用ＬＥＤ照明装置３の照射量が適宜に制御される。この結果、藻床７Ａと藻床７Ｂとの間で幼芽の成長の速度がほぼ同じとなる。なお、養殖用ＬＥＤ照明装置３を点灯させることで発熱が生じるが、この発熱による養殖槽２内の海水の温度上昇は僅かであり育苗に問題にならない程度である事が発明者らの実験により明らかにされている。
そして、幼芽が藻体になった後に、例えば沖合いへ養殖用基盤４を移設し、３月から５月にかけて藻体が２０〜３０ｃｍほどに伸びたときに、ポンプを用いて養殖用基盤４の藻床７Ａ、７Ｂを吸引してモズクを採取する。
【００３０】
以上説明したように、本実施形態によれば、複数のＬＥＤ４０を配列したＬＥＤバー部材３１をケース体３０の内部に固定し、電源ケーブル４７をケース体３０から引き出した状態で封止する構成とした。この構成により、防水可能な照明装置が提供されると共に、複数のＬＥＤ４０を互いの配置間隔や位置を正確に揃えた状態でケース体３０に一度に収めて固定することが可能となり、良好な組み立て性を実現することができる。
【００３１】
さらに、本実施形態によれば、ケース体３０から電源ケーブル４７を引き出した状態でＬＥＤバー部材３１を封止する構成としているため、養殖槽２に養殖用ＬＥＤ照明装置３を沈めつつ、養殖槽２の外部からＬＥＤバー部材３１に電力を供給して各ＬＥＤ４０を点灯させることができる。これにより、養殖用ＬＥＤ照明装置３のケース体３０の内部に電源を設ける必要が無いため装置の小型化及び簡略化が図られる。
これに加え、本実施形態によれば、養殖槽２内で当該養殖槽２の底床面２Ａに対してケース体３０の姿勢を保持する姿勢保持部としてのケース支持脚３２を設ける構成としたため、養殖槽２内に養殖用ＬＥＤ照明装置３を設置した際に、ＬＥＤバー部材３１の光照射方向を一定の方向に固定することができる。これにより、養殖槽２内に配置された養殖用基盤４に対して的確に光を照射することが可能となる。
【００３２】
また本実施形態によれば、ＬＥＤバー部材３１は、養殖槽２の上面開口から養殖用基盤４を照らす自然光を補う光量、或いは、光量及び波長の光を発する構成としたため、養殖槽２の上面開口から養殖用基盤４を照らす太陽光Ｓが当該養殖用基盤４の下側（裏面側）の藻床７Ｂに届かなくとも養殖用ＬＥＤ照明装置３により補光され、これにより、養殖用基盤４の上側の藻床７Ａと下側の藻床７Ｂとの間での光照射量を等しくし育苗の度合いの均一化を図ることが可能となる。
また、これにより、太陽光Ｓが届かない下側の藻床７Ｂだけ海藻類の成長が遅くなる事もないため、日照不足により養殖期間が延びてしまう事もない。
さらに、養殖用ＬＥＤ照明装置３は、育苗に必要な全ての光を賄うものではなく、あくまでも太陽光Ｓの補光を行うものであるため、その補光に必要な程度の出力及び個数のＬＥＤ４０を有すれば良く、ＬＥＤバー部材３１の小型化、低発熱、及び、省電力化を図りつつ、養殖期間の遅延を防止することができる。
【００３３】
また本実施形態によれば、ＬＥＤバー部材３１の放射光の拡がり角θを広げる三角プリズム３３をケース体３０に設けたため、養殖用基盤４の広い範囲を照明することができる。特に、三角プリズム３３の光出射面３３Ａに梨地を形成して散乱を生じさせる構成としているため、比較的広いエリアを均一に照射することが可能となる。
また、本実施形態によれば、ＬＥＤバー部材３１は、藻床７Ｂに照射される光の照度が、海藻類の育苗に必要な少なくとも略１ｌｘ以上となる光量を発するため、海藻類が十分に光合成することができる。
【００３４】
なお、上述した実施の形態は、あくまでも本発明の一態様を示すものであり、本発明の範囲内で任意に変形および応用が可能である。
例えば、上述した実施形態では、全体が透明なケース体３０を用いたが、ケース体３０は、少なくともＬＥＤ４０との対向面が透明であれば全体が透明でなくとも良い。
また例えば、上述した実施形態では、ケース支持脚３２をケース体３０と別体に設けたが、例えばケース体３０に平らな面を形成し、この面で姿勢を保持する構成しても良い。
また例えば、養殖用ＬＥＤ照明装置３を養殖槽２の床面ではなく、養殖槽２の内側面にケース支持脚３２で所定の姿勢を保持するように設置・固定して、この内側面から養殖用基盤４を照射する構成としても良い。
また例えば、上述した実施形態では、略矩形の板状の養殖用基盤４を用いる構成としたが、養殖用基盤４には、例えば円柱状（ロール型）といった任意の形状のものを用いることが可能である。そして、いかなる形状の養殖用基盤４であっても、太陽光Ｓが届き難い養殖用基盤４の下側を、養殖用ＬＥＤ照明装置３により効率よく照らし、養殖用基盤４における照射光量の均一化を図ることができる。
また養殖用ＬＥＤ照明装置３を、水槽やプール等に沈めてイルミネーションに用いても良い。
【図面の簡単な説明】
【００３５】
【図１】本発明の実施形態に係る海藻類養殖装置の構成を示す図であり、（Ａ）は断面を見た図を示し、（Ｂ）は平面図を示す。
【図２】図１（Ｂ）のＸ−Ｘ線における断面を示す図である。
【図３】養殖用ＬＥＤ照明装置の概略構成を示す図であり、（Ａ）は全体を示す斜視図であり、（Ｂ）は断面を見た図である。
【符号の説明】
【００３６】
１  海藻類養殖装置
２  養殖槽
３  養殖用ＬＥＤ照明装置
４  養殖用基盤
７Ａ、７Ｂ  藻床
３０  ケース体
３１  ＬＥＤバー部材
３２  ケース支持脚
３３  三角プリズム
３３Ａ  光出射面
４０  ＬＥＤ
４７  電源ケーブル
５０  モールド樹脂材
【図１】
0004867832.tif 000002
【図２】
0004867832.tif 000003
【図３】
0004867832.tif 000004